(57)【要約】【課題】  清潔で容易に開口できるイージーオープン缶を提供する。【解決手段】  イージーオープン缶の飲み口となる蓋板部分をばね加工して、開口のためその蓋板の外周を切断分離した時、ばねの弾性で飲み口部分の蓋板が巻き上がり、コンパクトに缶内に収納できるようにする。【選択図】図１
2008302972.tif 000002
【特許請求の範囲】
【請求項１】
イージーオープン缶の飲み口あるいは取り出し口として開口される蓋板部分を、ばね加工し、飲み口など開口部の外周の一部が切り離された時、その分離された蓋板部分が、ばねの弾性で、蓋板固定部周辺に巻き込まれ、あるいは折りたたまれて、飲み口あるいは取り出し口が開口されることを特徴とするイージーオープン缶。
【発明の詳細な説明】
【技術分野】
【０００１】  本発明は、イージーオープン缶の蓋板をばね加工することによって、清潔でしかも容易に開口することが出来るイージーオープン缶に関するものである。
【背景技術】
【０００２】  飲料用などのイージーオープン缶の開口の仕方は、プルタブ（プルトップ）を引き起こして、開口部を蓋板から一部を分離し、同時にそのプルタブを引き起こした動作で分離した蓋板を缶の内部に押し込む方式（例えば特許文献１）があるほか、特開２００７−３９２３０７１号によって提供されるイージーオープン型の缶（以下、新型缶という。）は、新型缶一対を用いるか、あるいはオープナーによって開口部の一部を蓋板から分離し、続いてプルタブなどを使って分離した蓋板を缶の内部に押し込む方式（例えば特許文献２）がある。
また、食品用などのイージーオープン缶の開口は、プルタブや新型缶方式によって開口部を蓋板から分離し、次いでプルタブなどによって缶本体から蓋板を切り離す方式（例えば特許文献３）などがある。【０００３】  ところで、上述のイージーオープン缶の開口には、次の二点で改善が必要である。
一つは、分離した蓋板をプルタブによって缶の内部に押し込む行為は、蓋板を缶の内容物である飲み物や食品に深く浸すこととなり、不潔感を生じさせていること。
二つは、新型缶の開口は、開口作業として開口部の蓋板の一部を分離する作業と、プルタブなどで分離した蓋板を缶内部に押し込む作業の２段階の開口作業があり、手間がかかること。
【特許文献１】特開２００６−１５８６号公報
【特許文献２】特開２００７−３９２３０７１号公報及び、特願２００７−１４８８２１
【特許文献３】特開２０００−１２８１６８号公報
【発明の開示】
【発明が解決しようとする課題】
【０００４】  上述の通り、イージーオープン缶の飲み口や取り出し口となる蓋板開口部の外周の一部が切り離されて、その分離された蓋板をプルタブなどによって缶の内部下方に押し込む行為は、外界に接していた蓋の表面を飲み物や食品に直接触れさせることになり、不衛生であり、清潔感を損なわせている。
また、新型缶の開口は、開口部の蓋板の一部を分離する作業と、分離した蓋板を処理する作業の２段階の作業が必要で、手間がかかり利便性を損ねている。【０００５】  そこで、本発明は、かかる課題を解決するため、飲み口や取り出し口として分離される蓋板部分を、予め、ばね加工し、開口のためその蓋板開口部の外周の一部が切り離された時、その分離された蓋板部分を、ばねの弾性で、蓋板固定部周辺に巻き込ませるか、あるいは折りたたみ、分離した蓋板が飲み物や食品に直接触れる機会を少なくして衛生面を改善するとともに、併せて、分離した蓋板を、ばねの弾性による巻き込み、あるいは折りたたむ自動処理によって、プルタブなどによる押し込み作業を不要とし、開口の２段階作業を解消するものである。
【発明の効果】
【０００６】  上述のとおり、本発明によってイージーオープン缶の飲み口や取り出し口となる蓋板部分を蓋板から一部を分離した後は、ばねの弾性によって開口自体が自動的になされるので、開口作業としては一作業で完了する、所謂イージーオープン・エンドとなり、開口の簡便さ、容易さは、大きな改善である。【０００７】  加えて、本発明は、ばねの弾性を活用して、分離した蓋を缶上部の固定蓋部分で巻き上げるか、コンパクトに折りたたむことが出来るので、プルタブで分離蓋を板状のまま缶内の真下に押し込む従来の方式と異なり、蓋板が飲み物や食品に触れる機会を極力少なくすることが出来る。すなわち、開口時の不潔感を和らげる効果は、極めて大きいものがある。
【発明を実施するための最良の形態】
【０００８】  本発明は、蓋板を部分的にばね化することが一つの要素であるが、本発明における「ばね」は、分離した蓋板を「巻く」あるいは「折り曲げる」だけの働きをするエネルギーを蓄積できれば良く、また「蓋」は、「蓋板自体をばね加工する」あるいは蓋板に板ばねを貼る「蓋板ばね合板」など、多様な形態が可能である。【０００９】  さらに、当該ばねは、反復使用の永久ばねと異なり、一度の使用を前提にすれば良く、ばねの種類、素材、加工など特段の制約を要するものではない。【００１０】  次に、本発明の技術的思想を、新型缶を代表例として図面を参照して実施の形態を説明する。
【実施例１】
【００１１】  図１は、本発明の実施形態に係るビール缶の一部を破断して示す斜視図、図２は、その中央部の縦断面図である。【００１２】  新型缶には幾つかの形態があるが、図１、図２の形態は、缶本体と蓋板を連結する巻き締め部のチャックウオールを約半周にわたって僅か内側に膨出８して、開口の際、その膨出部の破断線（スコア）４を別の缶の押圧突起７が押圧して、飲み口の外周４を切り裂く形態（特開２００７−３９２３０７１号の明細書に実施例１として明示されている。）である。本実施例は、この形態に本発明の技術的思想を付加したものである。【００１３】  新型缶は、開口する缶と開口される缶の二本の新型缶を縦に積み重ねた状態で相対的に回転させることにより、上積み缶の押圧突起７が、開口される缶の環状段部８に設けられた破断線（スコア）４を押圧して、蓋板の飲み口となる外周の一部４を切り裂き分離するものである。【００１４】  そして、蓋板の飲み口として分離される蓋板部分２は、予め、渦巻き状にばね加工したもので、缶蓋が平板状に成形封缶される時に、エネルギーが付加された状態となる。そして開口のため押圧突起７が飲み口となる外周４を破断分離した時、はじめてエネルギーを解放して蓋板が巻き込まれ、飲み口が開口されるのである。
【実施例２】
【００１５】  本実施例は、前記実施例１と同様の新型缶、同じ形態をベースとした食品用缶で、図３、図４を参照して説明する。【００１６】  図３は、食品用丸型３ピース缶に関するイージーオープン缶の中央部の縦断面図、図４は、その平面図である。【００１７】  本実施例は、新型缶の機能、開口作業など、実施例１と変りがなく重複説明を避けるが、３ピース缶の上蓋と底蓋は、通常の食品缶と異なり図３のとおり新型缶としての形状と機能を持たせたものである。【００１８】  実施例１との相異は、開口口が主として、食品の取り出し口であること、缶の形態が比較的扁平であることなどを考慮して、開口蓋５０を外開き、ばねの加工を開口蓋の折り曲げ線９５に添って折り曲げる板ばねとしたことである。【００１９】  すなわち、実施例１は、飲み口として分離される蓋板部分を面で、ばね加工するのに対して、実施例２は、分離される蓋板の一部を直線でばね加工、あるいは「蓋板ばね合板」で対応したことである。
【実施例３】
【００２０】  図５は、実施例２が開口蓋５０を平板で折り曲げたのに対して、本実施例は、巻き込み方式とした点が相異している。【００２１】  本実施例は、巻き込み方式としたことで、分離する開口蓋２０を面で均等にばね化でき、部分的に強いエネルギーを要しないので、実施例２と比較して生産コストを低く抑えることができる。【００２２】  以上新型缶について本発明の技術的思想を説明したが、本発明はこれら実施例に限定されるものではない。
【図面の簡単な説明】
【００２３】
【図１】第１の実施例に係るビール缶の一部を破断して示す斜視図である。
【図２】図１に示したビール缶の中央部の縦断面図である。
【図３】第２の実施例に係る食品用丸型３ピースの正断面図である。
【図４】図３に示した食品用丸型３ピース缶の平面図である。
【図５】第３の実施例に係る食品用丸型３ピース缶の正断面図である。
【符号の説明】
【００２４】１    缶本体
２    飲み口として分離される蓋板
３    飲み口
４    破断線（スコア）、飲み口の外周
５    ばねの弾性により巻き込まれた蓋板
６    チャックウオール
７    押圧突起
８    環状段部、チャックウオールの膨出部
１０  食品用缶本体
２０  取り出し口として分離される缶蓋
３０  取り出し口
４０  破断線（スコア）
５０  ばねの弾性により折り曲げられた蓋板
５５  ばねの弾性により巻き込まれた蓋板
６０  チャックウオール
７０  押圧突起
７５  底蓋
８０  環状段部
９０  上蓋固定部分
９５  折り曲がり線
【図１】
2008302972.tif 000003
【図２】
2008302972.tif 000004
【図３】
2008302972.tif 000005
【図４】
2008302972.tif 000006
【図５】
2008302972.tif 000007